(57)【要約】  【課題】  構造上隙間の生じやすい頸周りであっても、着用者が息苦しくなる程に締め付けることなくその密閉状態が維持され、防塵服本体内の空気圧が高くなり空気の流出が生じたとしても、襟元開口からの集中流出を防ぐことができる防塵服を提供する。  【解決手段】  頸部より下方を覆う防塵服本体と、頭部から頸部を覆うキャップ部及びこれに連接されたスカート部とからなるフード体とによって構成し、前記フード体の内外側いずれかの周方向に、着用時、防塵服本体の襟閉塞部と対応する位置に帯状のクッション部材を止着し、該クッション部材を防塵服本体と同素材からなる生地によりウレタンスポンジ等の弾性材を被包した構造とする。【選択図】  図１
2008202177.tif 000002
【特許請求の範囲】
【請求項１】
頸部より下方を覆う防塵服本体と、頭部から頸部を覆うキャップ部及びこれに連接されたスカート部とからなるフード体とによって構成された防塵服であって、前記フード体の内外側いずれかの周方向に、着用時、防塵服本体の襟閉塞部と対応する位置に帯状のクッション部材を止着してなることを特徴とする防塵服。
【請求項２】
前記請求項１記載の発明において、フード体に止着されたクッション部材を防塵服本体と同素材からなる生地によりウレタンスポンジ等の弾性材を被包した構造としたことを特徴とする防塵服。
【発明の詳細な説明】
【技術分野】
【０００１】
本発明は、医療機器、医薬品、食品、半導体、電子機器などの製造工程において、クリーンルームなど無塵性を要求される空間内で作業する際に着用される防塵服であって、防塵服内部の塵埃が襟元開口から集中漏出することを防止するための防塵服に関する。
【背景技術】
【０００２】
クリーンルームなど無塵性が要求される空間内にあっては、作業者の皮膚又は着衣などからの塵埃が漏出し、作業対象物を損傷又は汚染しないよう防塵服の着用が義務づけられている。そのため、従来より、この種の防塵服にあっては、通気性の低い素材を用い、開口部分である襟元、袖口及び裾口の密閉度を高めるための様々な工夫がなされている。
【０００３】
しかしながら、上記のように、防塵服の素地そのものに通気性が無いため、作業中の動作によって防塵服内の圧力がより高くなると、ポンピング効果により前記開口部分の密閉状態が解除されてしまい、この際、構造上密閉状態を保つための締付力が最も弱くならざるを得ない襟元開口に集中して空気の流出が生じやすい。しかも、空気の流出が襟元開口に集中してしまうと、空気の流出強度がより強くなるため、防塵服内の発塵もより多く放出される結果となり、高さ位置の関係と相俟って塵埃の拡散範囲がより広くなってしまう不都合がある。
【０００４】
この種の防塵服に関しては、以下のとおり数多くの提案がなされているが、前記不都合を解決するに至ったものは存在しない。
【特許文献１】特開平０７−０４１２０９
【特許文献１】特開平１１−１８９９０４
【特許文献１】特開２００１−２８８６１０
【特許文献１】特開２００１−２９５１１０
【特許文献１】特開２００１−２９５１２７
【特許文献１】特開２００１−３０３３１４
【特許文献１】特開２００１−３０３３１５
【特許文献１】特開２００３−０７３９１２
【特許文献１】特開２００６−１４４１８９
【発明の開示】
【発明が解決しようとする課題】
【０００５】
本発明は、上記課題を解決するためになされたもので、襟元開口からの塵埃の集中漏出を防止することのできる防塵服の提供を課題とする。
【課題を解決するための手段】
【０００６】
上記課題を解決するため、請求項１の発明にかかる防塵服にあっては、着用者の頸部より下方を覆う防塵服本体と、頭部から頸部を覆うキャップ部及びこれに連接されたスカート部とからなるフード体とによって構成し、前記フード体の内外側いずれかの周方向に、着用時、防塵服本体の襟閉塞部と対応する位置に帯状のクッション部材を止着してなることを特徴とする。
【０００７】
請求項２の発明にあっては、前記請求項１の発明において、フード体に止着されたクッション部材を防塵服本体と同素材からなる生地によりウレタンスポンジ等の弾性材を被包した構造としたことを特徴とする。
【発明の効果】
【０００８】
本発明にかかる防塵服にあっては、フード体の周方向に防塵服本体の頸部締付部と対応する位置にクッション部材を逢着してあるため、着用時、防塵服本体の襟閉塞部（例えば、スタンドカラー部）が直接作業者の頸を締め付けるのではなく、このクッション部材を介在させての締め付けとなる。したがって、構造上隙間の生じやすい頸周りであっても、また、作業者が息苦しくなる程に締め付けなくとも、クッション部材の弾性作用により着用者の動作に応じて頸周りの密閉状態が維持され、仮に防塵服本体内の空気圧が高くなり空気の流出が生じたとしても、襟元開口部に集中しての流出は防ぐことができる。
【０００９】
また、直接着用者の頸周りに接することとなるクッション部材を、ウレタンスポンジ等の弾性材を防塵服と同素材からなる生地により被包した構造としたことにより、弾性材からの塵埃流出を防止することができ、しかも、着用者の頸周りの締め付け感を緩和することができる。
【００１０】
上記のとおり、本発明の防塵服にあっては、防塵服本体内の塵埃がその襟元開口から漏洩するのを効果的に抑制することができるので、特に、高い位置からの塵埃の流出拡散を嫌うダウンストリーム型クリーンルーム（清浄空気の流れが下方に向かう無塵室）においてはより有用である。
【発明を実施するための最良の形態】
【００１１】
図は、本発明に係る防塵服の一実施形態を示したもので、図１はフード体と防塵服本体とを分離した状態での全体正面図、図２はフード体の一部切欠斜視図、図３は着用状態を示した全体正面図。図４はフード体及び防塵服本体の着用方法を示した説明図である。
【００１２】
防塵服本体１は、着用者の腰から上を覆う上衣部２と、着用者の腰から下を覆う下衣部３とが一体となったつなぎ形態の服で、上衣部２の前身頃には襟元から下方に向かってスライドファスナー４が設けられている。上衣部２の襟閉塞部５はスタンドカラー態様となっていて、その開口部両端付近には一対の面フック＆ループ（登録商標「マジックテープ」以下同様）６が取り付けられ、これによって襟元開口の閉塞を図っている。また、他の開口部である袖口部７及び裾口部８にはゴムバンド等の伸縮部材が内設されていてその閉塞を図っている。
【００１３】
なお、本実施形態にあっては防塵服本体をつなぎ形態としているが、特に服形態に制約があるものではなく、上衣と下衣とが分離したセパレート形態の防塵服であってもよい。また、襟形態やスライドファスナーの取付位置や着脱又は閉塞の手段等も本実施形態に限定されるものではない。
【００１４】
フード体１０は、頭部から頸部を覆うキャップ部１１と、該キャップ部１１に連接し頸部から肩部にかけて延びるスカート部１２とからなる。キャップ部１１には、聴覚を確保するためのメッシュ部１３と、防塵マスク（図示せず）着脱用の一対の面フック＆ループ１４が取り付けれれている。また、スカート部１２の開口部両端には一対の面フック＆ループ１５が取り付けられ、これによってフード体１０が装着される。
【００１５】
また、スカート部１２の外側には、前記キャップ部１１との縫合箇所に沿って帯状のクッション部材１６が周方向に止着されている。そして、このクッション部材１６は、着用時、前記上衣部２のスタンドカラー形式の襟閉塞部５と対応し重合するような位置に配設されていて、大凡襟閉塞部５に対応する巾（２ｃｍ乃至５ｃｍ）で、頸周り（襟周り）よりやや短めの長手寸法をなし、防塵服本体１と同素材からなる生地によりウレタンスポンジ等の弾性材１７を被包した構造となっている。なお、クッション部材１６の寸法形状や配置等は特に上記に限定されるものではなく、頸周りの密閉状態が有効に維持されるものであればよい。
【００１６】
本防塵服の着用方法について説明すると、防塵服本体１は、通常のつなぎ服と同様の要領で、スライドファスナー４を開き下衣部３に両足を差し入れ上衣部２の両袖に両手を差し込んで着用する。フード体１０は、キャップ部１１を頭から被りスカート部１２の左右開口付近に取り付けられている対の面フック＆ループ１５を係合させて装着する。次に、フード体１０のスカート部１２を防塵服本体１の上衣部２内に収装して前記スライドファスナー４を閉じる。そして、襟閉塞部（スタンドカラー）５をフード体１０のスカート部１２の外側に周着されているクッション部材１４に上から重ね合わせ、その状態で襟閉塞部５の両端に取り付けられている面フック＆ループ６を係合させ襟元を密閉する。
【００１７】
上記のように構成され着用される本防塵服にあっては、上衣部２の襟閉塞部（スタンドカラー）５がフード体１０の帯状のクッション部材１４に上から被装された状態で頸周りを密閉しているので、構造上締め付けに制約のある頸周りの密閉度を着用者に不快感を与えることなく維持することができ、ポンピング作用による空気（塵埃）の漏出が襟元開口に集中してしまうということはない。
【００１８】
また、防塵服本体１とフード体１０とにそれぞれ取り付けられている対の面フック＆ループ６及び１５とによって頸周りを二重締め付け構造としているため、頸周りの密閉効果をより高めることができる。
【図面の簡単な説明】
【００１９】
【図１】本発明実施態様例に係る防塵服の全体正面図。
【図２】同防塵服におけるフード体の一部切欠斜視図
【図３】同防塵服の着用状態を示した全体正面図。
【図４】同防塵服の着用方法を示した部分説明図。
【符号の説明】
【００２０】
１：防塵服本体
２：上衣部
３：下衣部
４：スライドファスナー
５：襟閉塞部
６：面フック＆ループ
７：袖口部
８：裾口部
１０：フード体
１１：キャップ部
１２：スカート部
１５：面フック＆ループ
１６：クッション部材
１７：弾性材
【図１】
2008202177.tif 000003
【図２】
2008202177.tif 000004
【図３】
2008202177.tif 000005
【図４】
2008202177.tif 000006